(57)【特許請求の範囲】
【請求項１】
水処理施設（１）に、水処理用の現場施設と、該現場施設の運転制御を行うコントローラ（６）を設け、上記現場施設が上流側の排水を貯留する水槽（４１）と、該水槽（４１）内の水を排水せしめる複数のポンプ（４４），（４６）とを備え、該コントローラ（６）におけるポンプ（４４），（４６）の駆動手段が、一方のポンプが所定の連続駆動時間を経過した際に、当該ポンプの駆動を停止せしめて他方のポンプを駆動する移行運転手段を備えるとともに、該駆動手段が、ポンプ（４４），（４６）の駆動移行回数が所定回数を経過した際に移行運転手段を停止せしめる移行回数制御手段を有する水処理施設における現場施設のコントローラ。
【請求項２】
ポンプ（４４）により排水を開始せしめる排水開始水位を、水槽（４１）内の満水水位より低い水位に設定し、排水開始水位より高い水位に、移行回数制御手段によりポンプの駆動を停止した後に、再度ポンプを駆動開始せしめる再駆動水位を設けた請求項１の水処理施設における現場施設のコントローラ。
【請求項３】
現場施設として水槽（４１）内の水位を計測する水位センサ（４２）を備え、該水位センサ（４２）からの情報に基づき予め決められた水槽（４１）の上限水位が１００パーセントとなる割合で表示せしめる割合表示手段と、上記水位を設定する水位設定手段とをコントローラ（６）に連牽させて設けた請求項１又は２の水処理施設における現場施設のコントローラ。
【請求項４】
水位センサ（４２）が水槽（４１）内の水位に対応した電流を出力せしめ、水位設定手段が水槽（４１）の上限水位を深さ又は該上限水位時の出力電流の少なくとも一方により設定可能である請求項３の水処理施設における現場施設のコントローラ。
【発明の詳細な説明】
【０００１】
【発明の属する技術分野】
この発明は浄水処理施設、下水処理施設、中継ポンプ施設等の水処理施設における現場施設のコントローラに関する。
【０００２】
【従来の技術と発明が解決しようとする課題】
一般的に上水処理施設、下水処理施設、中継ポンプ施設等の水処理施設には、水槽（マンホール）内の水位を計測する水位センサや、マンホール内の水の排出を行うポンプ等の現場施設が設けられており、上記ポンプ等の作動機器の作動が、水位センサ等の計測機器等からの情報（データ）に基いてコントローラにより制御されている。
【０００３】
このとき上記ポンプは一般的に１つの現場施設に２つ設けられており、通常は一方のポンプで排水を行い、他方のポンプは予備的に使用され、通常排水を行う（駆動）される方のポンプ（メインポンプ）は必要以上に長時間駆動することなく当該現場施設のマンホールの水を水位が所定の水位に低下するまで排水することが可能な容量を有している。
【０００４】
一方図８に示されるように上記２つのポンプ４４，４６の排水口は一つの排水管４７に、接続管５１，５２を介して接続されており、いずれのポンプを駆動した場合でも接続管４８又は４９を介して排水を排水管４７に送り、排水管４７からマンホール４１内の水を排出する構造となっている。このとき上記接続管５１，５２には逆止弁５１，５２が備えられており、一方のポンプ（通常メインポンプ４４）の排水が他方のポンプ４６を逆流してマンホール４１内に戻ることがないように構成されている。
【０００５】
すなわち上記逆止弁５１，５２は図９（ａ），（ｂ），（ｃ）に示されるようにポンプ４４，４６側からの排水により開くボール状の弁５３が弁座５４上に配置された構造となっており、図９（ｂ）に示されるようにポンプ４４，４６が駆動され、逆止弁５１，５２の入力ポートＩに排水が入力されると、該排水の水圧により弁５３が開き、排水を出力ポートＯから排出せしめるが、図９（ａ）に示されるように、ポンプが非駆動状態であると、弁５３が弁座５４を塞ぐため排水が流れない構造となっている。
【０００６】
このため一方のポンプが駆動された状態で、駆動されていないポンプ側の逆止弁に図９（ｃ）に示されるように異物５０等が詰まり、逆止弁が開いたままの状態となると、上記駆動側のポンプを駆動しても排水は非駆動状態のポンプ側の接続管を介して非駆動状態のポンプの吸水口側からマンホール４１内に戻るため、所定時間の駆動で規定量の排水を行うことができない、又は規定量の排水を行うために膨大な時間が必要となり、場合によってはポンプを破損する場合がある等の欠点があった。
【０００７】
【課題を解決するための手段】
上記課題を解決するための本発明の水処理施設における現場施設のコントローラは、水処理施設１に、水処理用の現場施設と、該現場施設の運転制御を行うコントローラ６を設け、上記現場施設が上流側の排水を貯留する水槽４１と、該水槽４１内の水を排水せしめる複数のポンプ４４，４６とを備え、該コントローラ６におけるポンプ４４，４６の駆動手段が、一方のポンプが所定の連続駆動時間を経過した際に、当該ポンプの駆動を停止せしめて他方のポンプを駆動する移行運転手段を備えるとともに、該駆動手段が、ポンプ４４，４６の駆動移行回数が所定回数を経過した際に移行運転手段を停止せしめる移行回数制御手段を有することを特徴としている。
【０００８】
第２にポンプ４４により排水を開始せしめる排水開始水位を、水槽４１内の満水水位より低い水位に設定し、排水開始水位より高い水位に、移行回数制御手段によりポンプの駆動を停止した後に、再度ポンプを駆動開始せしめる再駆動水位を設けたことを特徴としている。
【０００９】
第３に現場施設として水槽４１内の水位を計測する水位センサ４２を備え、該水位センサ４２からの情報に基づき予め決められた水槽４１の上限水位が１００パーセントとなる割合で表示せしめる割合表示手段と、上記水位を設定する水位設定手段とをコントローラ６に連牽させて設けたことを特徴としている。
【００１０】
第４に水位センサ４２が水槽４１内の水位に対応した電流を出力せしめ、水位設定手段が水槽４１の上限水位を深さ又は該上限水位時の出力電流の少なくとも一方により設定可能であることを特徴としている。
【００１１】
【発明の実施の形態】
図１は家庭からの排水（生活雑排水）等によりマンホール等の水槽内に所定以上の排水等が溜まるとポンプにより排水を行う水処理施設である中継ポンプ施設に配置され、ポンプ等の現場施設を制御する制御装置１の斜視図であり、締結用のベルトＢにより電柱Ｄ等に取り付けられて設けられる。
【００１２】
図２に示されるように制御装置１の外装（制御ボックス）２内部には、電力を商用電源又は自家発電機のいずれから採るかを選択する選択スイッチ３と電力メータ５とを備えた電源ユニット４，現場施設の制御を行うコントローラ６，ブレーカを集中して配置したブレーカユニット，動力出力と入力信号変換を備えたＩ／Ｏユニット７，インターフェース端子を集中して配置した端子台８等が配置されており、また上面には制御装置１を外部から管理するサーバ（図示せず）との通信用のアンテナ９が設けられている。
【００１３】
そして電源ユニット４により選択された電力がブレーカユニット内のメインブレーカを介してコントローラ６に入力され、コントローラ６はこの電力により作動する。また上記中継ポンプ施設には水の排水用のポンプやモータ等の作動を行う作動機器、水位を検知する水位センサ等の計測用の計測機器等が現場施設として備えられており、上記作動機器は計測機器からのデータ等に基づいて上記コントローラ６により作動が制御される。
【００１４】
上記コントローラ６は図３に示されるように、上面（制御装置１内配置状態では正面）に表示用のディスプレイ１１，操作用のスイッチ１２，パイロットランプ１３等を備えたメインパネル１４が設けられ、該メインパネル１４の下方にはＩ／Ｏコネクタ１６が設けられている。そして該Ｉ／Ｏコネクタ１６が前述の端子台８側と配線され、コントローラ６と計測機器又は作動機器等が接続される。
【００１５】
また上記コントローラ６には図４に示されるようにディスプレイ１１への表示や作動機器の制御等を行う制御部の基板（メイン基板）１８，上記サーバとの通信等を行う通信部の基板（通信基板）１９，現場施設側の作動状態等のログを記録するロガー部の基板（ロガー基板）２１等を備えており、すなわちコントローラ６はディスプレイ１１への表示や作動機器の制御の他、サーバとの通信やログ記録機能等が備えられている。
【００１６】
なおコントローラ６のケース２０は上下２重構造となっており、上記メイン基板１８，通信基板１９，ロガー基板２１が上方側に、電源用の基板２３，バックアップ電池２４，トランス２５，Ｉ／Ｏコネクタ用の基板２６等が底側に配置されている。
【００１７】
そしてコントローラ６は、図５に示されるように、Ｉ／Ｏコネクタ１６におけるＡｉ（アナログイン）端子２７にアナログデータを出力する計測機器等からの信号（水位，温度、風力等）が、Ｄｉ（デジタルイン）端子２８にデジタルデータを出力する計測機器（主にリミットスイッチ等のＯＮ，ＯＦＦを出力する機器）等からの信号（水位レベル等）が各入力されているとともに、Ｄｏ（デジタルアウト）端子２９から、マンホール排水用のポンプや警報表示用のパトライトに制御用の信号が送られる構造となっており、計測機器からデータ等を制御部３１側で処理して計測機器からの計測データ等からなる水処理施設の状態データ等を作成し、該状態データ等に基づいた制御信号により作動機器を作動制御せしめている。
【００１８】
またＩ／Ｏコネクタ１６にはコントローラ６側の温度を測定する温度センサ３０の出力も接続されており、制御部３１は上記温度センサ３０からの出力に基づいて、Ｄｏ端子２８に接続されて、制御装置（制御ボックス）１に取り付けられたファン（図示せず）の作動を制御し、すなわちコントローラ６側を冷却もコントロールしている。
【００１９】
その他制御部３１内には通信管理手段３３が備えられており、該通信管理手段３３と通信部３２とがデータ交換することで、前述のサーバとの通信が可能となっている。このとき上記通信部３２はサーバと通信プロトコルにＴＣＰ／ＩＰを使用したパケットによる通信（パケット通信）を行う構造となっており、通信回線（コンピュータネットワーク）として通信したパケットに対して課金が行われるパケット課金通信網を使用するように構成されている。
【００２０】
そして上記パケット課金通信網は、該パケット課金通信網に無線でアクセス（接続）することができるものとなっており、通信部３２は無線通信機能を備えたものとなっている。そしてコントローラ６（制御装置１）は前述のアンテナ９を介して無線でパケット通信網にアクセスすることができる。
【００２１】
これによりコントローラ６はコンピュータネットワーク（パケット課金通信網）を介してサーバと通信可能であり、上記計測機器による測定データ（Ａｉ端子２７やＤｉ端子２８から入力されるデータ）や、測定データをデジタル処理等する瞬時値テーブル３４からのデータ、作動機器の作動履歴データ等からなる現場施設側の状態を現すデータ（状態データ）等をサーバ側に送信する構造となっている。
【００２２】
また上記通信部３２はサーバ側からのデータも受信可能であり、コントローラ６はサーバ側からのリモート操作データ（指令データ）により遠隔で（サーバから）のリモート操作も可能となっており、現場施設はコントローラ３６による現場での操作（ダイレクト操作）の他、現場から離れた場所での遠隔操作（リモート操作）が可能となっている。
【００２３】
一方ロガー部３６は、上記通信管理手段３３と通信して状態データ等をＩＣカード等のリムーバブル記録装置に記憶せしめるように構成されており、上記状態データのログ等が上記リムーバブル記録装置に記憶せしめられるように構成されている。またＡｉ端子２７からの入力信号及び瞬時値テーブル３４側から出力される現場施設側のトラブルを示す警報信号等は上記ロガーユニット３６への出力の他に制御部３１内のメモリにも記憶蓄積されるように構成されている。
【００２４】
また上記制御部３１内には、Ａｉ端子２７から入力された水位データに基づいて、マンホール内の水位を割合（百分率）に換算してディスプレイ１１に表示させるためのデータ（水位データ）を作成する水位割合表示手段が、上記瞬時値テーブル３４等と通信して、瞬時値テーブル３４等からのデータに基づいてディスプレイ等の表示をコントロールする表示操作処理部３５に備えられており、水位を割合（百分率）でディスプレイ１１に表示させることができる構造となっている。
【００２５】
このとき制御部３１（表示操作処理部３５）はメインパネル１４側からの操作により、少なくとも１００パーセントとする予め決められたマンホール４１の上限水位を任意に設定する水位設定手段が備えられており、これにより例えば前記上限水位を満水水位とすると、水位４ｍが満水である４ｍマンホールと、水位６ｍが満水である６ｍマンホールとに同一の水位センサを使用した場合であっても、いずれのマンホールの水位も割合（パーセント）で表示させることが可能である。
【００２６】
なお表示操作処理部３５側では、割合表示手段によりマンホール内の水位を割合（百分率）に換算してディスプレイ１１に表示させるためのデータ（水位データ）を作成し、ディスプレイ１１にはこの水位データに基づいて水位を表示せしめるが、該水位データは通信部３２を介してサーバ側に送信することもでき（つまりサーバはコンピュータ通信を介して水位データを得ることができ）、サーバ側、又はサーバにアクセスするクライアント側で水位を百分率で表示させることができる。
【００２７】
次に水位割合表示手段について、図６に示されるようにマンホール４１内に底面側に位置決めされて配置され、水圧を検知し、水位が０ｍの時に４ｍＡ，水位が６ｍの時に２０ｍＡの電流を出力せしめ、０〜フルレンジで６ｍの水位を測定できる（４〜２０ｍＡの電流を出力する）水位センサ４２を使用する場合を例に説明する。なおマンホール４１内には水位が１００パーセントに達したことを検知する上限水位検出センサ４３も設けられている。
【００２８】
この場合上記水位センサ４２のヒステリシスが無いものとし、電流値と水位が一次関数を満たし、水位をＸ（ｍ），電流値をＩ（ｍＡ）とすると、水位と電流値との関係は、Ｘ＝０．３７５×Ｉ−１．５となる。これにより制御部３１（表示操作処理部３５）は水位センサ４２から例えば（６．５／０．３７５）ｍＡの電流が出力されていると水位を４ｍと演算することができる。
【００２９】
一方上記制御部３１には前述のようにメインパネル１４側から１００％に設定する水位（満水水位）が深さ（メートル単位）で入力され、これにより表示操作処理部３５は、満水水位をＡ１（ｍ）とすると、１００×（０．３７５×Ｉ−１．５）／Ａ１を演算して水位データを作成し、該水位データをディスプレイ１１又は通信部３２側に送信することで、ディスプレイ１１，サーバ，クライアント側で、水位を割合表示で確認することが可能となっている。
【００３０】
例えばＡ１＝４ｍ（つまりマンホール４１の上限水位を４ｍ）と設定し、水位センサ４２からの出力電流が９．３ｍＡであったとすると、ディスプレイ１１では４９．６８％と表示される。
【００３１】
なお制御部３１には水位設定手段により、メインパネル１４のスイッチ１２から満水水位（予め決められたマンホールの上限水位）をメートル単位で入力することができるほか、満水水位時の水位センサ４２からの出力電流（満水電流値）を入力することも可能であり、制御部３１は入力された満水水位の深さ（メートル値）と電流値等から上記関数を演算し、水位データを演算することが可能に構成されている。このとき図７に示されるよう満水水位ａ，満水電流値ｂがディスプレイ１１に表示される。
【００３２】
上記水位割合表示手段により、オペレータが各マンホール４１の満水水位をコントローラ６側に入力することによって、水位センサ４２のフルレンジに関係なく、各マンホール４１で水位を割合表示させることができ、水位センサ４２をマンホール毎に変更する必要がなく、また割合表示により水位を容易に確認することができる。また特に満水電流値を入力可能とすることにより、水位センサ４２を変更した場合等においても、上記関数等を自動的に変更せしめて割合にて水位を表示せしめることができる。
【００３３】
一方上記マンホール４１には図８に示されるように現場施設として排水用の２台のポンプ４４，４６が設けられており、通常はマンホール４１内の水位が図７に示される排水を開始する水位（排水開始水位）Ｓに達すると一方のポンプ（メインポンプ）４４を駆動せしめて排水を行い、所定の水位（排水停止水位）Ｅにまで下がるとメインポンプ４４の駆動を停止して排水を停止するように構成されている。
【００３４】
このとき２つのポンプ４４，４６の排水口４４Ｏ，４６Ｏは一つの排水管４７に、接続管４８，４９を介して接続されており、いずれのポンプ４４，４６を駆動した場合でも接続管４８又は４９を介して排水を排水管４７に送り、排水管４７からマンホール４１内の水を排出する。
【００３５】
このとき上記接続管４８，４９には逆止弁５１，５２が備えられており、いずれか一方のポンプ（例えばメインポンプ４４）のみを駆動している場合に、排水が他方のポンプ（サブポンプ４６）を逆流して吸水口からマンホール４１内に戻ることがないように構成されている。
【００３６】
すなわち上記逆止弁５１，５２は図９（ａ），（ｂ），（ｃ）に示されるようにポンプ４４，４６側からの排水により開くボール状の弁５３が弁座５４上に配置された構造となっており、図９（ｂ）に示されるようにポンプ４４又は４６が駆動され、逆止弁５１又は５２の入力ポートＩに排水が入力されると、該排水の水圧により弁５３が開き、排水を出力ポートＯから排出せしめるが、図９（ａ）に示されるように、ポンプ４４，４６が非駆動状態であると、弁５３が弁座５４を塞ぐため排水が流れない構造となっている。
【００３７】
一方通常はメインポンプ４４でのみ排水を行い、他方のサブポンプ４６は予備的に使用され、メインポンプ４４は必要以上に長時間駆動することなく所定の駆動時間で、マンホール４１内の水位を排水開始水位Ｓから排水停止水位Ｅにまで下げる（排水する）ことが可能な容量を有している。
【００３８】
そして上記コントローラ６は、両ポンプ４４，４６を駆動することが可能となっており、メインポンプ４４が上記所定時間以上に長時間運転することが無いように、２台のポンプ４４，４６を交互に駆動せしめる移行運転手段が備えられている。
【００３９】
これは例えば図９（ｃ）に示されるように、サブポンプ４６側の逆止弁（逆流防止用弁）５２に異物５０が挟まり、メインポンプ４４による排水がサブポンプ４６に逆流してマンホール４１内に戻り、メインポンプ４４の上記所定時間の駆動で水位が排水停止水位Ｅに達しないことによりメインポンプ４４の連続運転時間が上記所定時間を超える場合に、上記移行運転手段を作動せしめることで、各ポンプ４４，４６の連続駆動時間が必要以上に長く（所定時間以上に）ならないようにするものである。
【００４０】
これによりメインポンプ４４が所定時間駆動された状態で水位が排水停止水位Ｅに低下しない場合に、メインポンプ４４が所定連続駆動時間を越えると、サブポンプ４６の駆動に切り換わるため、１つのポンプの長時間連続運転が防止され過熱等の故障が抑止される。
【００４１】
なお上記のように逆止弁５２に異物５０が詰まった場合は、サブポンプ４６を駆動することで排水により異物５０が流出せしめられるケースも比較的多く、この場合は移行運転手段により、メインポンプによる所定の連続駆動時間で排水が行われないというポンプ駆動（排水作動）の異常（イレギュラー）イレギュラーが解消され、すなわちトラブルの自己復旧が可能な場合もある。
【００４２】
このときコントローラ６は移行運転手段の作動時に、ポンプ駆動のイレギュラーが発生したと判断し、警報データを出力せしめ、ディスプレイ１１，サーバ，クライアント側で上記警報データにより異常（ポンプ駆動の異常）を確認することができる。
【００４３】
次に上記移行運転手段を含むコントローラのポンプ駆動フローを説明する。該ポンプ駆動フローは図１０のフローチャートに示されるように、ステップＳ１でメインポンプ４４を駆動し、ステップＳ２に進みメインポンプ４４が排水停止水位等により停止されたか否かをチェックする。
【００４４】
そしてメインポンプ４４が駆動されていると、次にステップＳ３に進み駆動時間が所定の駆動時間を越えたか否かをチェックする。そして所定の駆動時間を超えていると、ステップＳ４に進みメインポンプ４４を停止させ、ステップＳ５に進みサブポンプ４６の駆動回数が所定の駆動回数を越えたか否かをチェックする。
【００４５】
そしてサブポンプ４６の駆動回数が所定回数を超えていれば処理を終了し、所定回数を超えていなければ、ステップＳ６に進みサブポンプ４６を駆動する。そしてステップＳ７に進みサブポンプ４６が停止水位等により停止されたか否かをチェックし、サブポンプ４６が駆動され続けていると、次にステップＳ８に進み駆動時間が所定の駆動時間を越えたか否かをチェックする。
【００４６】
そして所定の駆動時間を超えていると、ステップＳ９に進みサブポンプ４６を停止させ、ステップＳ１０に進みメインポンプ４４の駆動回数が所定の駆動回数を越えたか否かをチェックし、メインポンプ４４の駆動回数が所定回数を超えていればポンプ駆動の異常と判断して異常データを出力して処理を終了し、所定回数を超えていなければ、リターンしてフローを繰り返す。
【００４７】
なおステップＳ２及びステップＳ９でメインポンプ４４又はサブポンプ４６が停止された場合は処理を終了する。またステップＳ３でメインポンプ４４の駆動時間が所定の駆動時間を超えていない場合もリターンしてフローを繰り返す。そしてステップＳ８でサブポンプ４６の駆動時間が所定の駆動時間を超えていない場合はステップＳ６に戻りサブポンプ４６を駆動し続ける。
【００４８】
これにより一定時間（たとえば３０分）以上同一ポンプが継続して運転した場合には、停止している他方のポンプが起動されるため、当該ポンプの配管の逆止弁側に異物が挟まっている場合、前述のようにこのポンプの駆動により異物の排出が促され、場合によっては異物が排出される。
【００４９】
また上記ステップＳ１〜Ｓ９を１回の移行運転と定義すると、ステップＳ１０により所定回数（本実施形態では５回）移行運転を行うと両ポンプ４４，４６は停止され、すなわち制御部３１は移行運転の回数が所定回数を越えると両ポンプ４４，４６の駆動を停止せしめる移行回数制御手段を備えている。これは例えば水位センサ４１の故障等による排水停止水位Ｅの検出異常等が考えられるためである。
【００５０】
上記移行回数制御手段により移行運転回数が５回を越えると、両ポンプ４４，４６による排水が停止せしめられ、両ポンプ４４，４６の総駆動時間が必要以上に増加することが防止される。ただし両ポンプ４４，４６の停止によりマンホール４１内の水位は上昇することとなり、このため本実施形態においては図６に示される、排水量（排水能力）を増加させるために２台のポンプ４４，４６を同時に駆動する水位（２台駆動水位）Ｒや、上限水位検出センサ４３により検出される異常高水位（水位１００％）等再度ポンプ４４又は４６を駆動せしめる再駆動水位が予め設定されている。
【００５１】
このとき上記再駆動水位は排水開始水位Ｓより高水位と設定しておき、水位が再駆動水位に達すると検出される検出信号を待ち、いずれかの検出信号により、移行運転の回数をリセットし再度１回目の移行運転を開始することによって、マンホール４１内の水を溢れさせることなく、排水作業を行わせることができる。
【００５２】
これにより水位センサ４２の故障等により両ポンプ４４，４６が交互にといえども長時間運転せしめられることが防止される他、マンホールから水が溢れ出るような事故を自動的に防止することもできる。そして移行運転中に排水停止水位Ｅを検知した場合には、水位の検出が正常に戻ったと判断され、上記いずれの警報（長時間運転警報）も解除される。
【００５３】
ただし移行回数制御手段により両ポンプが停止せしめられた後の移行運転においても排水停止水位Ｅが検出されない場合は、排水停止水位Ｅの検出エラーとして判断し、警報データを生成して、排水停止水位Ｅの検出エラーをディスプレイ１１上に表示させる他、サーバ側にもデータを送信し、サーバ又はクライアント側で検出エラーを確認することができ、マンホール４１側のメンテナンスを行うことができる。
【００５４】
なお排水停止水位Ｅ，排水開始水位Ｓ，２台駆動水位Ｒはメインパネル１４からオペレータが入力できる構造となっており、排水停止水位Ｅを入力した場合に図１１（ａ）に示されるように、排水開始水位Ｓを入力した場合に図１１（ｂ）に示されるように、２台駆動水位Ｒを入力した場合に図１１（ｂ）に示されるようにメートル表示と割合表示で水位がディスプレイ１１に表示せしめられる。
【００５５】
また異常高水位は通常１００％の水位であり、上限水位検出センサ４３により検出され、図１２に示されるように異常高水位がメートル表示と割合表示でディスプレイ１１に表示せしめられる。なお場合によってはオペレータが異常高水位を手動で入力してもよい。
【００５６】
この他コントローラ６側には、上記のようなポンプ４４，４６の自動運転を停止させた状態で制御装置（制御ボックス）の扉を閉めた場合に、自動的に３０秒間警告ブザーを鳴らす等により作業者に非自動運転であることを報知し、人為的ミスによって、マンホール４１内の汚水があふれる状況になることを防ぐ非自動運転報知機能や、図１３（ａ），（ｂ），（ｃ），（ｄ）に示されるようにディスプレイ（ＬＣＤ）１１の右上４文字を使い運転状態を表示する運転状態表示機能等も備えられている。
【００５７】
上記運転状態表示機能では、例えば上記移行運転時に図１３（ａ）に示されるように[AT]，メインポンプ４４を単独で自動的に運転させている場合（上記移行運転ではなくメインポンプのみ水位が排水開始水位Ｓとなると駆動して排水停止水位となると駆動を停止せしめる場合）に[P1]，サブポンプを単独で自動運転させている場合（上記移行運転ではなくメインポンプのみ水位が排水開始水位Ｓとなると駆動して排水停止水位となると駆動を停止せしめる場合）に[P2]，上記自動運転が設定されていない場合に空白のように表示する。これによりオペレータは現状のポンプ４４，４６の駆動状態を容易に認識することができる。
【００５８】
【発明の効果】
以上のように構成される本発明の構造によると、コントローラが移行運転手段を備えることで、例えば両ポンプの排水側に設けられた逆流防止用弁（逆止弁）に異物が挟まり、ポンプの所定の駆動時間で規定の排水（ポンプを停止させる水位）が実現できず、水位がポンプの停止レベルに達しないことによりポンプの連続駆動時間が必要以上に長くなった場合であっても、当該ポンプが停止されて他方のポンプが駆動されることにより、ポンプの長時間連続運転が防止され過熱等の故障が抑止される効果があり、その他他方のポンプの駆動で上記異物が流出せしめられ、トラブルが解決される場合もあるという利点がある。
【００５９】
また駆動手段が、ポンプの駆動移行回数が所定回数を経過した際に移行運転手段を停止せしめる移行回数制御手段を備えることで、水位の検出エラー等により必要以上に移行運転回数が増加するという不都合を防止することができ、特にポンプにより排水を開始せしめる排水開始水位を、水槽内の満水水位より低い水位に設定し、排水開始水位より高い水位に、移行回数制御手段によりポンプの駆動を停止した後に、再度ポンプを駆動開始せしめる再駆動水位を設けることで、移行運転停止により水が溢れる等の不都合を防止することができ、水位の検出エラー等の検出を行うこともできる。
【００６０】
さらにコントローラが割合表示手段を備えることで、監視者側は水位を百分率等の割合で確認することができ、水位を深さ（メートル等）で判断する場合に比較して、より容易に理解することができるという利点がある。なお調整手段により１００パーセント又は１０割時の水位深さを設定調整することで、満水水位深さが異なる水槽に対しても容易に水位を割合で確認することができる。
【図面の簡単な説明】
【図１】  制御装置の斜視図である。
【図２】  制御装置の正面図である。
【図３】  コントローラの正面図である。
【図４】  （ａ）はコントローラの内部における上段側の正面図、（ｂ）はコントローラの内部における下段側の正面図である。
【図５】  コントローラのブロック図である。
【図６】  水位センサの状態を示したマンホール内の概略断面図である。
【図７】  満水水位を表示した状態のディスプレイの表示図である。
【図８】  ポンプの状態を示したマンホール内の概略断面図である。
【図９】  （ａ）は弁が閉じた状態の逆止弁の状態を示した断面図，（ｂ）は弁が開いた状態の逆止弁の状態を示した断面図，（ｃ）は弁に異物が存在する状態の逆止弁の状態を示した断面図である。
【図１０】  移行運転手段のフローチャートである。
【図１１】  （ａ）は排水停止水位を、（ｂ）は排水開始水位を、（ｃ）は２台駆動水位を各表示したディスプレイの表示図である。
【図１２】  異常高水位を表示したディスプレイの表示図である。
【図１３】  （ａ）は移行運転時の、（ｂ）はメインポンプを単独で自動的に運転させている場合の、（ｃ）はサブポンプを単独で自動運転させている場合の、（ｄ）は自動運転が設定されていない場合のディスプレイの表示図である。
【符号の説明】
１      中継ポンプ施設（水処理施設）
６      コントローラ
４４    メインポンプ（ポンプ）
４６    サブポンプ（ポンプ）
４１    マンホール（水槽）
４２    水位センサ
【図１】
0004647071.tif 000002
【図２】
0004647071.tif 000003
【図３】
0004647071.tif 000004
【図４】
0004647071.tif 000005
【図５】
0004647071.tif 000006
【図６】
0004647071.tif 000007
【図７】
0004647071.tif 000008
【図８】
0004647071.tif 000009
【図９】
0004647071.tif 000010
【図１０】
0004647071.tif 000011
【図１１】
0004647071.tif 000012
【図１２】
0004647071.tif 000013
【図１３】
0004647071.tif 000014